(57)【要約】　　　（修正有）【課題】自動的な暗号リセット機能を具備し、暗号キー不要で盗み見防止の機能を具備する。【解決手段】暗号ロックコアはロックコア機構１、リセット機構２及びラッチ機構３を具えるリセット機構２がスライド板２２、方向ガイドロッド２１、限位ロッド２５及びリセット手段２６で組成され、ロックコア機構１が正確な暗号押圧の後に、リセット機構２のスライド板２２が下に移動してラッチ機構３を押動し、解錠する。次にバネの力でラッチ機構３が上向きにリセット機構のリセット手段２６を押し上げ、リセット手段の固定ロッド２６３が限位ロッド２５を押し上げて、限位ロッドがスライド板下方のラチェット限位手段２２２より離脱し、方向案内柱１３１のリセットバネ１３１１がスライド板をもとの位置に引き戻し、ロックコア機構を開始位置に戻し、新たに暗号設定可能とする。【選択図】　　　　図２
0003097752.tif 000002
【実用新案登録請求の範囲】
【請求項１】
暗号ロックコアがロックコア機構内に取り付けられたリセット機構及びロックコア機構下方のラッチ機構で組成されたプッシュキー式暗号ロックコアのリセット機構において、
該リセット機構が方向案内ロッド、スライド板、リセットバネ、位置決め座、限位ロッド、リセット手段で組成され、方向案内ロッドが押し板上の位置決め板の間に固定され、その上にスライド板、リセットバネ、位置決め端、限位ロッドが設置され、スライド板下端中部にラチェット限位手段が設けられ、且つ限位ロッドの下端がストッパ部とされ、その端点が鋭角とされて、スライド板下端のラチェット限位手段に嵌合され、限位ロッドの中部に軸孔が開設され、ピンが通過して限位ロッド、ねじりバネ、位置決め座が一体に連接され、限位ロッドの上部に小さい折り曲げ部が設けられ、且つリセット手段がＬ状を呈し、リセット手段に長孔が設けられ、リベットが通過してケース底部に固定されて上下にスライド可能とされたことを特徴とする、プッシュキー式暗号ロックコアのリセット機構。
【請求項２】
請求項１記載のプッシュキー式暗号ロックコアのリセット機構において、ロックコア機構が内挟持板と外挟持板の間に上下にスライド可能な脱落防止装置が設置されたことを特徴とする、プッシュキー式暗号ロックコアのリセット機構。
【請求項３】
請求項１記載のプッシュキー式暗号ロックコアのリセット機構において、ロックコア機構がケースと外挟持板の間に内挟持板と押し板を収容し、且つ押し板の内挟持板に接近する一側に方向案内柱と限位柱がリベット接合され、並びに方向案内柱にリセットバネが套設され、且つ方向案内柱が内挟持板と外挟持板の軸スリーブを貫通し、方向案内柱が軸スリーブ中でスライド可能とされ、内挟持板と外挟持板に虚偽キーとリアルキーが設けられたことを特徴とする、プッシュキー式暗号ロックコアのリセット機構。
【請求項４】
請求項３記載のプッシュキー式暗号ロックコアのリセット機構において、リアルキーに収容空間が設けられ、並びに一側が延伸されて押動斜面を具えたプッシュロッドが設けられ、且つ収容空間内にリセットバネが収容され、並びにプッシュロッドより離れた収容空間の別側に限位ネジが位置決めされ、リセットバネが限位ネジに当接し、リセットバネの別端がプッシュロッドの底部より突出し並びに内挟持板の係止孔辺縁に当接し、リアルキーが内挟持板の係止孔中でスライド可能とされたことを特徴とする、プッシュキー式暗号ロックコアのリセット機構。
【請求項５】
請求項４記載のプッシュキー式暗号ロックコアのリセット機構において、リアルキーの限位ネジ表面に順に配列された数字或いは文字標記が設けられたことを特徴とする、プッシュキー式暗号ロックコアのリセット機構。
【請求項６】
請求項１記載のプッシュキー式暗号ロックコアのリセット機構において、ラッチ機構がケース底部の穿孔に対応するプッシュロッドと作動ロッドを具え、且つプッシュロッドが活動ストッパロッドの活動端に套設され、且つ活動ストッパロッドの下方に斜面突起が設けられ、斜面突起がロックコア軸の限位環状溝中に嵌め込まれ、並びにロックコアの軸にロック環状溝が設けられ、該ロック環状溝にラッチが係合し、ロックコア軸のロック状態が達成されることを特徴とする、プッシュキー式暗号ロックコアのリセット機構。
【請求項７】
請求項６記載のプッシュキー式暗号ロックコアのリセット機構において、作動ロッドにラッチが設けられ、且つ作動ロッドの中段部分に支持ロッドが設けられ、支持ロッドのラッチより離れ別側の圧接端がケースの穿孔位置に延伸されたことを特徴とする、プッシュキー式暗号ロックコアのリセット機構。
【考案の詳細な説明】
【０００１】
【考案の属する技術分野】
本考案は一種のプッシュキー式暗号ロックコアのリセット機構に係り、特に、ロックコアにモジュール化設計を採用し、且つ暗号を配列要求により組み合わせ可能とし、自動的な暗号リセット機能を具備するものとし、且つ暗号キー不要で盗み見防止の機能を具備するようにした、プッシュキー式暗号ロックコアのリセット機構に関する。
【０００２】
【従来の技術】
現在既存の暗号ロックは電子プッシュキー暗号ロックと機械キー暗号ロックの二種類があり、技術上、いずれもロックコア部品のモジュール化の設計の要求を解決していない。暗号制御機構は独立した標準部品ではなく、現在の標準ロック及びその他のロック部品と組み合わせて異なる機能、異なる外観の暗号ロックを形成することはできず、且つ人々の使用習慣と外観に対する要求を満足させ難い。この二種類のロックの欠点は、操作上、間違った信号をクリアしたり或いは作業開始信号を与えるためのリセットキーを組み合わせる必要があり、このような方式は人により盗み見されやすく、その安全性が大幅に下がる。
【０００３】
周知の暗号ロックは、ロック内部に磁性ロックが取り付けられ、磁性柱の有するＮ極、Ｓ極の置換配列してコードを組成するか、或いは暗号制御を完成する方法を利用し、その解錠操作には暗号キーが必要で、このロックの製造技術と操作は複雑であり、暗号を自由に変えることはできず、且つ暗号キーを携帯する必要があり、暗号ロックの長所を表現できていない。前述の暗号ロックの構造設計上の不良なところが、暗号ロックの使用上の多くの不便を形成し、これが改善を求められている欠点である。
【０００４】
【考案が解決しようとする課題】
本考案の主要な目的は、ロックコア機構、リセット機構及びラッチ機構を具えた暗号ロックコアにあって、ロックコア機構が解錠された後、ラッチ機構がリセット機構を駆動してロックコア機構中のスライド板を釈放させ、ロックコア機構を開始状態に回復させて暗号を新たに設定できるようにすることにある。
【０００５】
本考案の次の目的は、暗号を有する暗号ロックコアにあって、暗号の配列順序により操作されない時に、リアルキーと虚偽キーの端部がリセット機構を駆動し作動させ、ロックコア機構のスライド板を下向きに移動不能となすか、或いは既に移動したスライド板を開始位置に回復させ、並びに正確な暗号を壊して解錠不能とするようにすることにある。
【０００６】
【課題を解決するための手段】
請求項１の考案は、暗号ロックコアがロックコア機構内に取り付けられたリセット機構及びロックコア機構下方のラッチ機構で組成されたプッシュキー式暗号ロックコアのリセット機構において、
該リセット機構が方向案内ロッド、スライド板、リセットバネ、位置決め座、限位ロッド、リセット手段で組成され、方向案内ロッドが押し板上の位置決め板の間に固定され、その上にスライド板、リセットバネ、位置決め端、限位ロッドが設置され、スライド板下端中部にラチェット限位手段が設けられ、且つ限位ロッドの下端がストッパ部とされ、その端点が鋭角とされて、スライド板下端のラチェット限位手段に嵌合され、限位ロッドの中部に軸孔が開設され、ピンが通過して限位ロッド、ねじりバネ、位置決め座が一体に連接され、限位ロッドの上部に小さい折り曲げ部が設けられ、且つリセット手段がＬ状を呈し、リセット手段に長孔が設けられ、リベットが通過してケース底部に固定されて上下にスライド可能とされたことを特徴とする、プッシュキー式暗号ロックコアのリセット機構としている。
請求項２の考案は、請求項１記載のプッシュキー式暗号ロックコアのリセット機構において、ロックコア機構が内挟持板と外挟持板の間に上下にスライド可能な脱落防止装置が設置されたことを特徴とする、プッシュキー式暗号ロックコアのリセット機構としている。
請求項３の考案は、請求項１記載のプッシュキー式暗号ロックコアのリセット機構において、ロックコア機構がケースと外挟持板の間に内挟持板と押し板を収容し、且つ押し板の内挟持板に接近する一側に方向案内柱と限位柱がリベット接合され、並びに方向案内柱にリセットバネが套設され、且つ方向案内柱が内挟持板と外挟持板の軸スリーブを貫通し、方向案内柱が軸スリーブ中でスライド可能とされ、内挟持板と外挟持板に虚偽キーとリアルキーが設けられたことを特徴とする、プッシュキー式暗号ロックコアのリセット機構としている。
請求項４の考案は、請求項３記載のプッシュキー式暗号ロックコアのリセット機構において、リアルキーに収容空間が設けられ、並びに一側が延伸されて押動斜面を具えたプッシュロッドが設けられ、且つ収容空間内にリセットバネが収容され、並びにプッシュロッドより離れた収容空間の別側に限位ネジが位置決めされ、リセットバネが限位ネジに当接し、リセットバネの別端がプッシュロッドの底部より突出し並びに内挟持板の係止孔辺縁に当接し、リアルキーが内挟持板の係止孔中でスライド可能とされたことを特徴とする、プッシュキー式暗号ロックコアのリセット機構としている。
請求項５の考案は、請求項４記載のプッシュキー式暗号ロックコアのリセット機構において、リアルキーの限位ネジ表面に順に配列された数字或いは文字標記が設けられたことを特徴とする、プッシュキー式暗号ロックコアのリセット機構としている。
請求項６の考案は、請求項１記載のプッシュキー式暗号ロックコアのリセット機構において、ラッチ機構がケース底部の穿孔に対応するプッシュロッドと作動ロッドを具え、且つプッシュロッドが活動ストッパロッドの活動端に套設され、且つ活動ストッパロッドの下方に斜面突起が設けられ、斜面突起がロックコア軸の限位環状溝中に嵌め込まれ、並びにロックコアの軸にロック環状溝が設けられ、該ロック環状溝にラッチが係合し、ロックコア軸のロック状態が達成されることを特徴とする、プッシュキー式暗号ロックコアのリセット機構としている。
請求項７の考案は、請求項６記載のプッシュキー式暗号ロックコアのリセット機構において、作動ロッドにラッチが設けられ、且つ作動ロッドの中段部分に支持ロッドが設けられ、支持ロッドのラッチより離れ別側の圧接端がケースの穿孔位置に延伸されたことを特徴とする、プッシュキー式暗号ロックコアのリセット機構としている。
【０００７】
【考案の実施の形態】
図１、２は本考案の側面断面図及び使用方式を示す側面断面図である。これらの図から分かるように、本考案のプッシュキー式機械暗号ロックコアは、ロックコア機構１、リセット機構２及びラッチ機構３で組成されている。
【０００８】
該ロックコア機構１は、外挟持板１１、内挟持板１２、押し板１３、リアルキー１４、虚偽キー１５、ケース１６で組成され、該ケース１６はコ形体とされ、底部に穿孔１６１があり、外挟持板１１、内挟持板１２はケース１６中に取り付けられ、且つ内挟持板１２と外挟持板１１の間が立柱１１１で連結され、その間に並びに上下にスライド可能な脱落防止装置１１２と支持片１１２２が設置され、該内挟持板１２の内側に押し板１３が取り付けられ、該押し板１３の中心位置に方向案内柱１３１と限位柱１３２がリベット接合され、該押し板１３の両端が折り曲げられて位置決め板１３３とされ、並びに方向案内柱１３１にリセットバネ１３１１が套設され、且つ方向案内柱１３１が内挟持板１２の軸スリーブ１２１、外挟持板１１の軸スリーブ１１３を通り、方向案内柱１３１と内挟持板１２、外挟持板１１間がスライド可能に連接され、方向案内柱１３１が軸スリーブ１２１、１１３中をスライド可能とされる。
【０００９】
暗号キー（リアルキー１４と虚偽キー１５）は内挟持板１２、外挟持板１１に挿入された後、内挟持板１２、外挟持板１１とスライド式に連接され、暗号キー中部に環状溝１４４２が開設されて、脱落防止装置１１２の限位に供され、暗号キーの脱落が防止され、外挟持板１１のキー孔の傍らにロックキーボードと一致する符号標記が刻まれている。該暗号キーは中空管体とされ、内部に収容空間１４１を具え、並びに収容空間１４１中にリセットバネ１４２が設置され、且つ収容空間１４１の一端に限位ネジ１４３がねじ込まれ、リセットバネ１４２の一端が限位ネジ１４３に当接し、リセットバネ１４２の別端が収容空間１４１の底部より突出し並びに内挟持板１２の係止孔１２２辺縁に位置決めされ、これにより暗号キーが内挟持板１２の係止孔１２２中をスライド可能とされる。該暗号キーはリアルキー１４と虚偽キー１５の二種類に分けられ、リアルキー１４の限位ネジ１４３の外表面に順に配列された数字或いは文字標記が設けられ、且つその前端のプッシュロッド１４４が内挟持板１２内部より突出し、並びにプッシュロッド１４４の底端に押動斜面１４４１が設けられ、リアルキー１４の斜面は一致し、ロッド幅は限位ネジ１４３上の数字配列により増加し、虚偽キー１５のプッシュロッド１４４には斜面の設計がなく、上述の特徴がない。
【００１０】
該リセット機構２はケース１６中の内挟持板１２の内側に取り付けられ、方向案内ロッド２１、スライド板２２、リセットバネ２３、位置決め座２４、限位ロッド２５、リセット手段２６を具えている。そのうち、該方向案内ロッド２１はロックコア機構１の押し板１３両端の位置決め板１３３の間に固定され、方向案内ロッド２１にスライド板２２、リセットバネ２３、及び位置決め座２４取り付けられ、スライド板２２に矩形孔（もとは複数の係止孔）２２１が設けられ、その底端中部にラチェット限位手段２２２が設けられている。また、方向案内ロッド２１に位置決め座２４が取り付けられ、該位置決め座２４の上方の方向案内ロッド２１にリセットバネ２３が套設され、下方に方向案内ロッド２１に安置されたリングＡにより限位され、該位置決め座２４中にねじりバネ２４１と限位ロッド２５が設けられ、限位ロッド２５の下端がストッパ部２５１とされ、その端点が鋭角とされて、スライド板２２下端のラチェット限位手段２２２に嵌め込まれ、限位ロッド２５の中部に軸孔が開設されてピンＦが通過して限位ロッド２５、ねじりバネＥ、位置決め座２４を連接し一体とし、限位ロッド２５の上部に小さい折り曲げ部分が設けられている。該限位ロッド２５の上端は活動部２５２とされ、そのストッパ部２５１はスライド板２２下端のラチェット限位手段２２２に嵌め込まれ、限位ロッド２５の上端の活動部２５２がリセット手段２６のプッシュロッド２６２に係止され、該リセット手段２６はＬ状を呈し、リセット手段２６に長孔が開設され、リベットＢが通過してケース１６底部に固定され、並びに上下にスライド可能とされ、リセット手段２６の底部は支持部２６１とされ、並びにほぼ中央にプッシュロッド２６２が設けられ、上部に開孔の設けられた折り片２６５が設けられ、且つ固定ロッド２６３がケース１６底面に接合されて引張りバネ２６４の位置決めに用いられ、引張りバネ２６４の別端は折り片２６５に固定され、ロックコア機構１のケース１６を貫通する軸棒１７１が保持され、並びにケース１６の外部に握持リング１７が連設されている。
【００１１】
ラッチ機構３はロックコア機構１のケース１６の下方に固定され、並びにラッチ機構３のプッシュロッド３１、作動ロッド３２がケース１６の穿孔１６１部分に対応し、該プッシュロッド３１にバネ３１１が套設され、下端が可動ストッパロッド３３の可動端３３１に近接し、可動ストッパロッド３３の別端が回転軸Ｃを通過してラッチ機構３に固定され、可動ストッパロッド３３の下方に斜面突起３３２が設計され、斜面突起３３２がロックコア軸３４の限位環状溝３４１中に嵌め込まれ、ロックコア軸３４にロック環状溝３４２が開設され、ロック環状溝３４２がラッチ３２１の係止に供され、ロックコア軸３４をロック状態となし、ラッチ３２１の上方がヒンジで作動ロッド３２に連接され、且つ作動ロッド３２の中段部分に支持ロッド３２２がヒンジで連接され、作動ロッド３２の別端の圧接端３２３がケース１６の穿孔１６１の下方に延伸されている。
【００１２】
さらに図３、４は本発明のロックコア機構の側面断面動作図、図５は本発明のリセット機構と限位ロッドの側面断面動作図であり、そのうち解錠コード合わせの過程で、スライド板２２の矩形孔２２１の下辺縁はメインナンバーリアルキー１４の斜面垂直端部よりやや低く、ロックコア機構１のリアルキー１４が押圧される時、リアルキー１４の一端のプッシュロッド１４４が水平方向に押動され、プッシュロッド１４４の押動斜面１４４１とスライド板２２の矩形孔２２１の下辺縁が接触し、斜面が下向きの分力を発生し、並びにスライド板２２を下向きに押し、スライド板２２を小距離下向きに移動させる。その移動の距離はスライド板２２下端のラチェット限位手段２２２のラチェット歯のピッチと同じであり、この距離が限位ロッド２５によりロックされ、且つ押圧により選定されたリアルキー１４により、スライド板２２がリアルキー１４の押圧により移動する距離が累加され、スライド板２２が下向きにある距離移動させられ、その下端のラチェット限位手段２２２がケース１６の穿孔１６１より突出し、ラッチ機構３の作動ロッド３２を押圧し、ラッチ３２１端が上に移動し、ロックコア軸３４のロック環状溝３４２より離れ、ラッチ機構３の解錠動作が完成する。
【００１３】
ラッチ機構３が解錠動作完成後に、ラッチ機構３中のプッシュロッド３１が上向きにリセット機構２のリセット手段２６の下端の折り曲げられた支持部２６１を押し上げ、リセット手段２６を上向きに移動させ、並びにプッシュロッド２６２が限位ロッド２５の活動部２５２を押し上げ、これにより限位ロッド２５下端のストッパ部２５１がスライド板２２のラチェット限位手段２２２より離脱し、スライド板２２が方向案内ロッド２１のリセットバネ２３の弾力作用を受け、スライド板２２がもとの位置に回復し、操作完成後のリアルキー１４がリセットバネ１４２の作用下でもとの位置に回復し、ロックコア機構１が開始状態に戻る。
【００１４】
暗号配列順序によらずに押圧操作される時、リアルキー１４或いは虚偽キー１５押圧後に垂直辺Ｄがスライド板２２を押し、スライド板２２に方向案内ロッド２１を通過さて押し板１３を水平移動させ、並びに位置決め座２４、限位ロッド２５、方向案内柱１３１及び限位柱１３２をケース１６の内部で水平移動させ、限位ロッド２５の活動部２５２とリセット手段２６のプッシュロッド２６２を接触させ、限位ロッド２５を時計回りに回転させ、並びにストッパ部２５１をスライド板２２のラチェット限位手段２２２より離脱させ、且つリセットバネ２３の作用下で、スライド板２２が下向きに移動不能とされ（或いは既に移動したスライド板２２がもとの位置に戻る）、これにより既に正確に操作された暗号が破壊され、スライド板２２がラッチ機構３の作動ロッド３２を押圧不能となり、解錠機能を実行不能となる。
【００１５】
本考案の暗号ロックコアには盗み見防止機能が採用され、リアルキー１４のマークが「１」のリアルキー１４にリセットの機能がないほか、その他の各暗号キー（リアルキー１４或いは虚偽キー１５）がいずれもコードを壊してリセットする機能を有し、即ち随意に多くの間違ったコードを押した後に、正確な順序で正確な暗号を押圧すれば、解錠できる。
【００１６】
さらに、暗号を改変する必要がある時は、ケース１６をラッチ機構３より取り外し、脱落防止装置１１２の延伸端１１２１を取り下げれば、リアルキー１４を抜き取ることができ、並びに選定した暗号数により、リアルキー１４のコードを暗号の配列順序により外挟持板１１の選択した暗号番号の挿入孔内に入れ、その他の孔に虚偽キー１５を挿入し、その後、ケース１６をラッチ機構３に戻せば、暗号変換の操作を完成できる。
【００１７】
暗号ロックコアは普通の錠が取り付けられた場所に用いられ、暗号キー数９個のうち、五個のリアルキーを選択して配列し、その組合せの数は１．５万通りあり、正常使用時、総暗号キー数は１２個とし、６個のリアルキーを選択配列し、その配列の組合せは６５万通りを超える。
【００１８】
以上は本考案の好ましい実施例に過ぎず、本考案の実施範囲を限定するものではなく、本考案に基づきなしうる細部の修飾或いは改変は、いずれも本考案の請求範囲に属するものとする。且つ本考案のロックコア機構、リセット機構はリアルキー、虚偽キーの押圧時に、押し板、スライド板及び限位ロッドの作動を利用し、ロックコアのロック或いは開放の目的を達成し、いずれも鍵を使用せず、且つ暗号を変更可能であり、盗み見防止の機能を達成する。
【００１９】
【考案の効果】
総合すると、本考案のプッシュキー式暗号ロックコアのリセット機構は使用時に確実にその機能と目的を達成し、ゆえに本考案は実用性に優れた考案であり、実用新案登録の要件を具備している。
【図面の簡単な説明】
【図１】本考案の側面断面図である。
【図２】本考案の使用方式を示す側面断面図である。
【図３】本考案のロックコア機構の側面断面動作図である。
【図４】本考案のロックコア機構の側面断面動作図である。
【図５】本考案のリセット機構の限位ロッド側面断面動作図である。
【符号の説明】
１　ロックコア機構
１１　外挟持板　　　　　　１３３　位置決め板
１１１　立柱　　　　　　　１４　リアルキー
１１２　脱落防止装置　　　１４１　収容空間
１１２１　延伸端　　　　　１４２　リセットバネ
１１２２　支持片　　　　　１４３　限位ネジ
１１３　軸スリーブ　　　　１４４　プッシュロッド
１２　内挟持板　　　　　　１４４１　環状溝
１２２　係止孔　　　　　　１５　虚偽キー
１３　押し板　　　　　　　１６　ケース
１３１　方向案内柱　　　　１６１　穿孔
１３１１　リセットバネ　　１７　握持リング
１３２　限位柱　　　　　　１７１　軸棒
２　リセット機構
２１　方向案内ロッド　　　２５１　ストッパ部
２２　スライド板　　　　　２５２　活動部
２２１　矩形孔　　　　　　２６　リセット手段
２２２　ラチェット限位手段　　２６２　プッシュロッド
２４　位置決め座　　　　　　　２６３　固定ロッド
２４１　ねじりバネ　　　　　　２６４　引張りバネ
２５　限位ロッド　　　　　　　２６５　折り片
３　ラッチ機構
３１　プッシュロッド　　　　　３３　活動ストッパロッド
３１１　バネ　　　　　　　　　３３１　活動端
３２　作動ロッド　　　　　　　３３２　斜面突起
３２１　ラッチ　　　　　　　　３４　ロックコア軸
３２２　支持ロッド　　　　　　３４１　限位環状溝
３２３　圧接端　　　　　　　　３４２　ロック環状溝
Ａ　リング　　　　　　　　　　Ｂ　リベット
Ｃ　回転軸　　　　　　　　　　Ｄ　垂直辺
Ｅ　ねじりバネ　　　　　　　　Ｆ　ピン
【図１】
0003097752.tif 000003
【図２】
0003097752.tif 000004
【図３】
0003097752.tif 000005
【図４】
0003097752.tif 000006
【図５】
0003097752.tif 000007